(57)【要約】【課題】  ひざや腰に負担をかけることなく、床面に養生テープ５を貼り付けることができ、養生テープ５の先端が不必要なところに貼り付くことを抑制できる床養生テープ貼り工具１を提供する。【解決手段】  床養生テープ貼り工具１は、長手形状の把持部２と、当該把持部２の先端から二股に分かれて形成されるコ字状のフレーム３と、該フレーム３の中間部に架設されロール状に巻いた養生テープ５を外挿する回転体４と、前記フレーム３の先端部に回転自在に固定され、前記養生テープ５の引き出し部分５１の粘着していない側の面を押さえて、養生テープ５を床面に貼り付ける押さえローラ６と、前記押さえローラ６に前記養生テープ５の引き出し部分５１を案内する案内片７と、を備える。【選択図】図３
2010143671.tif 000002
【特許請求の範囲】
【請求項１】
長手形状の把持部と、
当該把持部の先端から二股に分かれて形成されるコ字状のフレームと、
該フレームの中間部に架設されロール状に巻いた養生テープを外挿する回転体と、
前記フレームの先端部に回転自在に固定され、前記養生テープの引き出し部分の粘着していない面を押さえて、養生テープを床面に貼り付ける押さえローラと、
前記押さえローラに前記養生テープの引出し部分を案内する案内片と、を備えることを特徴とする床養生テープ貼り工具。
【請求項２】
前記回転体に外挿された前記養生テープの外周で該回転体の芯方向に付勢され、前記回転体の所定以下の力での回転を規制する規制ローラをさらに備えたことを特徴とする床養生テープ貼り工具。
【請求項３】
前記案内片は薄い平板状に形成されており、前記フレームに架設された軸棒に一端が回転自在に固定されるとともに、他端が前記押さえローラの外周に整合する円弧状に形成され、自重により前記押さえローラに巻きついた前記養生テープの引き出し部分の粘着面に当接することを特徴とする床養生テープ貼り工具。
【発明の詳細な説明】
【技術分野】
【０００１】
この発明は、養生テープを床面に貼り付ける作業を補助する床養生テープ貼り工具に関する。
【背景技術】
【０００２】
住宅等の建設現場において例えば床面に複数敷き並べた養生シート同士の間に養生テープを貼り付ける場合や、仮設の床材を敷き並べてその床材同士の間に養生テープを貼り付けて仮固定する場合等、床面に養生シートを貼り付ける機会は多い。従来、床面に養生テープを貼り付ける場合には、ロール上に巻かれた養生テープの先端を手で摘んで引出し、一方の手でロール部分を回転させつつ他方の手で養生テープの粘着面が床面側となるように手で押さえて貼り付けていた。
【０００３】
しかし、このように手で直接床面を押さえて固定する場合、中腰での作業となり腰やひざに負担がかかるとともに、養生テープを均一に貼り伸ばすことは困難であった。そこで、例えば図９に示すようなテープ貼り込み具１００が提案されている（特許文献１）。このテープ貼り込み具１００は、一対の回転体１０１にそれぞれ粘着テープ１０２が着脱自在に装着されており、この回転体１０１に装着された粘着テープ１０２の引き出し部分１０３をローラ状の押さえ手段１０４により床面１０５に押さえた状態で、このテープ貼り込み具１００を引くことにより、床面１０５に粘着テープを均一に貼り伸ばすことができる。
【特許文献１】特開平１１−２８６３６７号公報
【発明の開示】
【発明が解決しようとする課題】
【０００４】
しかし、図９のようなテープ貼り込み具１００では、床面１０５に貼り付ける際に、中腰になって、後ろ向きに後退しながら、このテープ貼り込み具１００を引っ張る必要がある。したがって、中腰の姿勢で後方に後退しながら作業することとなり、ひざや腰に負担がかかり易く、粘着テープ１０２を直線に貼り付けることが難しい。
【０００５】
また、床面１０５に粘着テープ１０２を貼り付けた後、この粘着テープ１０２の引き出し部分１０３を切断して、テープ貼り込み具１００を移動させる際にも、粘着テープ１０２の引き出し部分１０３の先端が固定されていないので、不必要なところに貼り付いて絡まる虞もある。
【０００６】
そこで、本発明は、ひざや腰に負担をかけることなく、床面に養生テープを貼り付けることができ、養生テープの先端が不必要なところに貼り付くことを抑制できる床養生テープ貼り工具を提供することを目的とする。
【課題を解決するための手段】
【０００７】
請求項１に記載の床養生テープ貼り工具は、長手形状の把持部と、当該把持部の先端から二股に分かれて形成されるコ字状のフレームと、該フレームの中間部に架設されロール状に巻いた養生テープを外挿する回転体と、前記フレームの先端部に回転自在に固定され、前記養生テープの引き出し部分の粘着していない側の面を押さえて、養生テープを床面に貼り付ける押さえローラと、前記押さえローラに前記養生テープの引き出し部分を案内する案内片と、を備えることを特徴としている。
【０００８】
請求項２に記載の床養生テープ貼り工具は、前記回転体に外挿された前記養生テープの外周で該回転体の芯方向に付勢され、前記回転体の所定以下の力での回転を規制する規制ローラをさらに備えたことを特徴としている。
【０００９】
請求項３に記載の床養生テープ貼り工具は、前記案内片は薄い平板上に形成されており、前記フレームに架設された軸棒に一端が回転自在に固定されるとともに、他端が前記押さえローラの外周に整合する円弧状に形成され、自重により前記押さえローラに巻きついた前記回転体の引き出し部分の粘着面に当接することを特徴としている。
【発明の効果】
【００１０】
請求項１に記載の床養生テープ貼り工具によると、養生テープを貼る作業者が長手形状の把持部を保持して中腰になることなく作業することができるので、ひじや腰に負担をかけることなく、床面に養生テープを貼ることができる。しかもこの床養生テープ貼り工具は、前方に移動しながら床面に養生テープを貼り付けることができるので、貼り付け作業をより容易なものとすることができる。また、押さえローラに養生テープの引き出し部分を案内する案内片を備えているので、養生テープの引き出し部分が不必要なところに貼り付き絡まることを抑制することができる。
【００１１】
請求項２に記載の床養生テープ貼り工具によると、規制ローラにより回転体の回転が規制されるので、回転体が不必要に回転して、養生テープの引き出し部分が不必要に長くなることを防ぐことができる。
【００１２】
請求項３に記載の床養生テープ貼り工具によると、案内片の他端が押さえローラの外周に整合する円弧状に形成され、自重により押さえローラに巻きついた養生テープの引き出し部分の粘着面に当接するので、押さえローラに巻きついた養生テープが不必要に他の場所に貼り付くことを確実に防ぐことができる。
【発明を実施するための最良の形態】
【００１３】
以下、この発明における床養生テープ貼り工具１の最良の実施形態について、各図を参照しつつ説明する。この床養生テープ貼り工具１は、図１に示すように、長手形状の把持部２と、この把持部２の先端に二股に分かれてコ字状に形成されるフレーム３と、フレーム３の中間部に架設される芯材８に外挿する回転体４と、この回転体４に外挿するロール状に巻かれた養生テープ５と、フレーム３の先端部に回転可能に固定される押さえローラ６と、押さえローラ６に養生テープ５の引き出し部分５１を案内する案内片７と、養生テープ５の外周で回転体４の芯材８方向に付勢され、回転体４の回転を規制する規制ローラ９と、を備えている。
【００１４】
把持部２は、図１、図２に示すように、例えば１メートル程度の作業者が把持しやすい径の細長い棒状であって、その先端付近は分離可能なネジ状の接続部２１が形成されており、収納する際にはこの把持部２を分離して収納することができる。そして、図３に示すように、フレーム３はコの字形をしており、把持部２の先端に中央が固定される棒状の基部３１と、この基部３１の両端からそれぞれ延びるアーム３２、３３から形成されている。アーム３２、３３には、少なくともその中央に芯材８を挿通させる貫通孔３４がそれぞれ設けられているとともに、その先端には押さえローラ６の両端を固定するボルト孔３５がそれぞれ設けられている。
【００１５】
芯材８は、図３、図４に示すように、フレーム３の一方のアーム３２に設けられた貫通孔３４と、他方のアーム３３に設けられた貫通孔３４と、を貫通するように架設される金属棒であって、この芯材８の一方の端部は、この貫通孔３４よりも大きな脱落防止片８１が固定されており、貫通孔３４に挿入した芯材８がそのまま抜け落ちることを防いでいる。そして、芯材８の他方の端部には固定孔８２が設けられており、アーム３３に上側から貫通している固定ピン３６により固定されている。
【００１６】
回転体４は、この芯材８に対して空転するように外挿する円柱形状であり、その外径は養生テープ５のロール部分５２の内径とほぼ同じ大きさに形成されている。図４及び図５に示すように、この回転体４を取り外すときには、固定ピン３６を取り外し、芯材８を引き抜いて回転体４を取り外す。なお、回転体４の外周面には養生テープ５のロール部分５２の側面に当接する突起１０が設けられており、養生テープ５を適切な位置に嵌め込むことができるとともに、養生テープ５を交換する場合に取り外すときには、回転体４に外挿された養生テープ５のロール部分５２をこの突起１０と反対側に引き抜いて取り外す。
【００１７】
押さえローラ６は、図３に示すように、アーム３２、３３の先端に回転自在に架設される円筒形状の弾性体である。そして、フレーム３のアーム３２、３３には、芯材８と押さえローラ６との間に、平板状の支持片１１、１２がそれぞれ固定されており、これら支持片１１、１２は互いに平行に一方向に延設されており、その先端には棒状の軸棒１３が架設されている。
【００１８】
そして、図６に示すように、軸棒１３には１対の案内片７の一端がそれぞれ回動可能に固定されている。１対の案内片７は、薄い平板状に形成されており、その中間部には１対の案内片７が平行に維持されるように棒材１４が架け渡されて固定されている。そして、一対の案内片７の他端は自重で押さえローラ６に巻きついた養生テープ５の引き出し部分５１に当接している。この案内片７の養生テープ５の引き出し部分５１に当接する部分は、刃状に尖って押さえローラ６の外周に整合する円弧状に形成されており、養生テープ５の引き出し部分５１を確実に押さえローラ６に案内することができるとともに、案内片７が養生テープ５の粘着面に当接する面積を少なくして、養生テープ５が押さえローラ６に従って床面上に載置された養生シート１６に押さえられて接着されることを妨げないように形成している。
【００１９】
図３及び図７に示すように、把持部２の先端には、バネ１５の一端が固定されている。中間部に規制ローラ９を備えた規制バー１７はその一端がこのバネ１５に固定されるとともに、他端が支持片１１、１２に架設される軸棒１３に固定されている。そして、規制バー１７及び規制ローラ９はバネ１５により芯材８の方向に付勢されており、規制ローラ９は養生テープ５のロール部分５２の外周面に当接している。この規制ローラ９は、規制バー１７との摩擦によりやや回転しにくく構成されており、養生テープ５のロール部分５２を外挿した回転体４の回転が不必要に回転することを防ぐことができる。
【００２０】
以上のように構成される床養生テープ貼り工具１を使用する際には、図７に示すように、回転体４に外挿される養生テープ５の引き出し部分５１を上側が粘着面となるように引出し、押さえローラ６の外周面に養生テープ５の引き出し部分５１の粘着していない面が当接して巻回するように上側から巻き込み、この押さえローラ６で床面に載置された養生シート１６に養生テープ５の粘着面を押さえて貼り付ける。このとき、規制ローラ９は養生テープ５のロール部分５２の外周が必要以上に回転することを規制するので、不必要に養生テープ５が引き出されることを防ぐことができるとともに、案内片７が押さえローラ６に巻きついた養生テープ５の引き出し部分５１に当接して、養生テープ５を押さえローラ６に確実に案内することができる。
【００２１】
床面に載置された養生シート１６に養生テープ５を貼り付ける作業者は、図８に示すように、長い棒状の把持部２を持って、前方に養生テープ５押し出すようにして、互いに隣接する養生シート１６に架かるように養生テープ５を貼り付ける。このように、中腰などの無理な姿勢をとることなく、養生テープ５を貼り付けることができるので、作業者のひじや腰の負担を軽減できる。また、前進方向に押し出すことで作業できるのでより簡単且つ容易に養生テープ５を貼り付けることができる。
【００２２】
なお、本発明の実施の形態は上述の形態に限ることなく、本発明の思想の範囲を逸脱しない範囲で適宜変更することができることは云うまでもない。
【産業上の利用可能性】
【００２３】
本発明に係る床養生テープ貼り工具１は、例えば住宅の建築現場で床面に設置する養生シートを固定するための養生テープを貼り付ける工具として、好適に用いることができる。
【図面の簡単な説明】
【００２４】
【図１】床養生テープ貼り工具の全体構成を説明する斜視図。
【図２】把持部を分離した状態を説明する斜視図。
【図３】フレーム、回転体、及び押さえローラの外観構成を説明する一部省略拡大斜視図。
【図４】回転体、及び芯材の外観構成を説明する一部省略拡大斜視図。
【図５】回転体をフレームから取り外した状態を説明する一部省略拡大斜視図。
【図６】案内片の構成を説明する一部省略拡大平面図。
【図７】床養生テープ貼り工具を使用する際の養生テープの取り回しを説明する一部省略拡大平面図。
【図８】床養生テープ貼り工具を使用している状態を説明する図。
【図９】従来のテープ貼り込み具の一例を説明する図。
【符号の説明】
【００２５】
１    床養生テープ貼り工具
２    把持部
３    フレーム
４    回転体
５    養生テープ
６    押さえローラ
７    案内片
９    規制ローラ
１３  軸棒
５１  引き出し部分
【図１】
2010143671.tif 000003
【図２】
2010143671.tif 000004
【図３】
2010143671.tif 000005
【図４】
2010143671.tif 000006
【図５】
2010143671.tif 000007
【図６】
2010143671.tif 000008
【図７】
2010143671.tif 000009
【図８】
2010143671.tif 000010
【図９】
2010143671.tif 000011